(57)【要約】【課題】湿気の影響を受けても、可動側縦格子を固定側縦格子に対して確実にスライド移動させることが可能な格子戸の構造を提供することを目的とする。【解決手段】固定側横桟材５が、複数本の固定側縦格子３…に直交して配置されるとともに、複数本の固定側縦格子３…の同一高さ位置に形成された切欠部３ａに嵌合固定され、可動側横桟材６が、複数本の可動側縦格子４…に直交して配置されるとともに、複数本の可動側縦格子４…の同一高さ位置に形成された切欠部４ａに嵌合固定されており、固定側横桟材５と可動側横桟材６とが略等しい高さに配置され、互いに当接している。これにより、たとえ湿気の影響を受けても、複数本の可動側縦格子と複数本の固定側縦格子とが噛み合ってしまったり、湿気によって建てつけが悪くなったりすることを確実に回避できる。さらに、隙間風や明かり漏れ等が生じることを確実に防げる。【選択図】図１
2014109154.tif 000002
【特許請求の範囲】
【請求項１】
縦横の枠材が矩形状に組み立てられてなる枠体と、
前記枠体の厚さ方向の一方側に、互いに一定の間隔をあけて配置されるとともに、上下端部が前記枠体の横枠材に対して固定される複数本の固定側縦格子と、
前記枠体の厚さ方向の他方側に、互いに一定の間隔をあけて配置されるとともに、上下端部が前記枠体の横枠材に対し、該横枠材の長さ方向に沿って連動してスライド可能に取り付けられる複数本の可動側縦格子と、
前記複数本の固定側縦格子に直交して配置されるとともに、前記複数本の固定側縦格子の同一高さ位置に形成された切欠部に嵌合固定される固定側横桟材と、
前記複数本の可動側縦格子に直交して配置されるとともに、前記複数本の可動側縦格子の同一高さ位置に形成された切欠部に嵌合固定される可動側横桟材と、を備えており、
前記固定側横桟材と前記可動側横桟材は略等しい高さに配置され、互いに当接していることを特徴とする格子戸の構造。
【請求項２】
請求項１に記載の格子戸の構造において、
前記複数本の固定側縦格子と前記複数本の可動側縦格子との間には隙間が形成されていることを特徴とする格子戸の構造。
【請求項３】
請求項１または２に記載の格子戸の構造において、
前記枠体の両縦枠材の内部側面に、前記固定側横桟材および前記可動側横桟材と略等しい高さに穴部が形成されており、
前記固定側横桟材の長さ方向両端部は、前記穴部に挿入固定され、
前記可動側横桟材の長さ方向両端部は、前記穴部に摺動可能に挿入されていることを特徴とする格子戸の構造。
【請求項４】
請求項１〜３のいずれか一項に記載の格子戸の構造において、
前記複数本の可動側縦格子の上下端部には、該複数本の可動側縦格子の上端部間および下端部間に架け渡されるとともに、前記枠体の上下の横枠材に向かって突出するガイドレールがそれぞれ取り付けられ、
前記枠体の上下の横枠材には、前記ガイドレールが挿入されるレール溝がそれぞれ形成されていることを特徴とする格子戸の構造。
【請求項５】
請求項１〜４のいずれか一項に記載の格子戸の構造において、
前記複数本の固定側縦格子および前記複数本の可動側縦格子は長尺材であり、
前記固定側横桟材および前記可動側横桟材は、長尺材である前記複数本の固定側縦格子および前記複数本の可動側縦格子に対して複数設けられていることを特徴とする格子戸の構造。
【発明の詳細な説明】
【技術分野】
【０００１】
本発明は、格子戸の構造に関する。
【背景技術】
【０００２】
固定側の格子体と可動側の格子体とを備え、固定側の格子体に対する可動側の格子体の位置関係によって通気や採光とプライバシーの保護などを両立した可動格子体として、特許文献１に開示されるものがある。この可動格子体は、固定側の複数の縦格子と可動側の複数の縦格子が内外方向に重なることで開き状態となり、屋内への風の取り入れや採光ができるようになる。また、左右の固定側縦格子間に可動側縦格子が位置することで閉塞した状態となり、これにより、屋内のプライバシーの保護を図れるものであった。
【先行技術文献】
【特許文献】
【０００３】
【特許文献１】特開２００４−０１９４１０号公報
【発明の概要】
【発明が解決しようとする課題】
【０００４】
ところで、特許文献１のような可動格子体の技術を建具に適用し、住宅等の建物に組み込みたいという要望がある。また、住宅等の建物に組み込まれる建具としては木製のものが多いため、前記可動格子体の技術が適用された当該建具も、木製とした上で住宅等の建物に組み込みたいという要望がある。
ところが、木製の建具は湿気により撓むことがあり、長さが長くなるとより湿気の影響を受けやすくなる。したがって、住宅等の建物に組み込まれる建具とする場合には、湿気の影響を受けて撓んでしまうことを考慮する必要がある。
特に、左右の固定側縦格子間に可動側縦格子が位置した状態のまま、各縦格子が互いに内側方向に撓んでしまうと、固定側縦格子と可動側縦格子とが互いに噛み合った状態となってしまうため、可動側の格子体をスライド移動できなくなってしまう場合がある。
また、各縦格子が互いに離間する方向に撓んでしまうと、可動側縦格子を左右の固定側縦格子間に位置させて閉塞状態としても。隙間風や明かり漏れ等が生じる場合がある。
【０００５】
本発明の課題は、湿気の影響を受けても、可動側縦格子を固定側縦格子に対して確実にスライド移動させることができるとともに、隙間風や明かり漏れ等が生じることを確実に防ぐことが可能な格子戸の構造を提供することを目的とする。
【課題を解決するための手段】
【０００６】
請求項１に記載の発明は、格子戸１であって、例えば図１〜図３に示すように、縦横の枠材２ａ，２ｂが矩形状に組み立てられてなる枠体２と、
前記枠体２の厚さ方向の一方側に、互いに一定の間隔をあけて配置されるとともに、上下端部が前記枠体２の横枠材２ｂ，２ｂに対して固定される複数本の固定側縦格子３…と、
前記枠体２の厚さ方向の他方側に、互いに一定の間隔をあけて配置されるとともに、上下端部が前記枠体２の横枠材２ｂ，２ｂに対し、該横枠材２ｂ，２ｂの長さ方向に沿って連動してスライド可能に取り付けられる複数本の可動側縦格子４…と、
前記複数本の固定側縦格子３…に直交して配置されるとともに、前記複数本の固定側縦格子３…の同一高さ位置に形成された切欠部３ａに嵌合固定される固定側横桟材５と、
前記複数本の可動側縦格子４…に直交して配置されるとともに、前記複数本の可動側縦格子４…の同一高さ位置に形成された切欠部４ａに嵌合固定される可動側横桟材６と、を備えており、
前記固定側横桟材５と前記可動側横桟材６は略等しい高さに配置され、互いに当接していることを特徴とする。
【０００７】
請求項１に記載の発明によれば、格子戸１は、複数本の可動側縦格子４…を連動して左右にスライドさせ、複数本の可動側縦格子４…と複数本の固定側縦格子３…とを、枠体２の厚さ方向において重ね合わせた際に開き状態となり、左右の固定側縦格子３，３間に可動側縦格子４を位置させた際に閉塞状態となる。
また、可動側横桟材６は、複数本の可動側縦格子４…の切欠部４ａに嵌合固定されるので、これら複数本の可動側縦格子４…とともに横枠材２ｂ，２ｂの長さ方向に沿って連動してスライドさせることができる。
そして、固定側横桟材５と可動側横桟材６は略等しい高さに配置され、互いに当接しているので、万が一湿気により、固定側縦格子３…と可動側縦格子４…とが互いに接近する方向に撓もうとする際に、互いに当接する固定側横桟材５と可動側横桟材６とで抑制することができる。これによって、たとえ湿気の影響を受けても、複数本の可動側縦格子４…と複数本の固定側縦格子と３…が噛み合ってしまったり、湿気によって建てつけが悪くなってしまったりすることを確実に回避でき、複数本の可動側縦格子４…を複数本の固定側縦格子３…に対して確実にスライド移動させることが可能となる。さらに、複数本の固定側縦格子と３…と複数本の可動側縦格子４…とが互いに離間する方向にも撓みにくくなるため、隙間風や明かり漏れ等が生じることを確実に防ぐことができる。
【０００８】
請求項２に記載の発明は、請求項１に記載の格子戸１の構造において、
前記複数本の固定側縦格子３…と前記複数本の可動側縦格子４…との間には隙間Ｓが形成されていることを特徴とする。
【０００９】
請求項２に記載の発明によれば、固定側横桟材５と可動側横桟材６とが当接した状態において、複数本の固定側縦格子３…と複数本の可動側縦格子４…とが当接しない状態となるので、複数本の可動側縦格子４…と複数本の固定側縦格子と３…が噛み合ってしまったり、湿気によって建てつけが悪くなってしまったりすることをより確実に回避できる。
【００１０】
請求項３に記載の発明は、請求項１または２に記載の格子戸１の構造において、
前記枠体２の両縦枠材２ａ，２ａの内部側面に、前記固定側横桟材５および前記可動側横桟材６と略等しい高さに穴部９，９が形成されており、
前記固定側横桟材５の長さ方向両端部は、前記穴部９，９に挿入固定され、
前記可動側横桟材６の長さ方向両端部は、前記穴部９，９に摺動可能に挿入されていることを特徴とする。
【００１１】
請求項３に記載の発明によれば、固定側横桟材５の長さ方向両端部と可動側横桟材６の長さ方向両端部とが穴部９，９に挿入された状態となるので、これら固定側横桟材５と可動側横桟材６とが、万が一湿気の影響を受けても撓みにくくなる。
また、可動側横桟材６は穴部９，９に固定されておらず、穴部９，９に摺動可能とされているので、複数本の可動側縦格子４…と連動してスライドできるようになっている。
【００１２】
請求項４に記載の発明は、請求項１〜３のいずれか一項に記載の格子戸１の構造において、
前記複数本の可動側縦格子４…の上下端部には、該複数本の可動側縦格子４…の上端部間および下端部間に架け渡されるとともに、前記枠体２の上下の横枠材２ｂ，２ｂに向かって突出するガイドレール７，７がそれぞれ取り付けられ、
前記枠体２の上下の横枠材２ｂ，２ｂには、前記ガイドレール７，７が挿入されるレール溝８，８がそれぞれ形成されていることを特徴とする。
【００１３】
請求項４に記載の発明によれば、ガイドレール７，７が上下端部に取り付けられた複数本の可動側縦格子４…を、レール溝８，８に沿って左右にスライドさせることができる。また、ガイドレール７，７によって複数本の可動側縦格子４…の上下端部を連結できるので、複数本の可動側縦格子４…を連動してスライドさせやすくなる。
【００１４】
請求項５に記載の発明は、請求項１〜４のいずれか一項に記載の格子戸１の構造において、
前記複数本の固定側縦格子３…および前記複数本の可動側縦格子４…は長尺材であり、
前記固定側横桟材５および前記可動側横桟材６は、長尺材である前記複数本の固定側縦格子３…および前記複数本の可動側縦格子４…に対して複数設けられていることを特徴とする。
【００１５】
請求項５に記載の発明によれば、複数本の固定側縦格子３…と複数本の可動側縦格子４…とが長尺材であっても、複数の固定側横桟材５，５と可動側横桟材６，６によって撓みを抑制できるので、複数本の固定側縦格子３…と可動側縦格子４…を、縦方向に長いドア等の建具にも適用しやすい。
【発明の効果】
【００１６】
本発明によれば、たとえ湿気の影響を受けても、複数本の可動側縦格子と複数本の固定側縦格子とが噛み合ってしまったり、湿気によって建てつけが悪くなってしまったりすることを確実に回避でき、複数本の可動側縦格子を複数本の固定側縦格子に対して確実にスライド移動させることが可能となる。さらに、複数本の固定側縦格子とと複数本の可動側縦格子とが互いに離間する方向にも撓みにくくなるため、隙間風や明かり漏れ等が生じることを確実に防ぐことができる。
【図面の簡単な説明】
【００１７】
【図１】本発明に係る格子戸を示しており、（ａ）は正面図であり、（ｂ）は固定側縦格子と可動側縦格子とが格子戸の厚さ方向に重なった状態（開放状態）の平面図であり、（ｃ）は左右の固定側縦格子間に可動側縦格子が位置する状態（閉塞状態）の平面図である。
【図２】図１に示す格子戸の断面図である。
【図３】可動側縦格子を取り外した状態を示す概略斜視図である。
【発明を実施するための形態】
【００１８】
以下、図面を参照して本発明の実施の形態について説明する。
図１〜図３において符号１は、格子戸を示す。この格子戸１は、住宅等の建物に組み込まれる木製の建具であり、ドアや扉、戸等として用いられるものである。
そして、この格子戸１は、枠体２と、複数本の固定側縦格子３…と、複数本の可動側縦格子４…と、固定側横桟材５と、可動側横桟材６と、を備える。
【００１９】
前記枠体２は、縦横の枠材２ａ，２ｂが矩形状に組み立てられてなる。
この枠体２を構成する縦枠材２ａ，２ａおよび横枠材２ｂ，２ｂはいわゆる角材であり、長尺に形成されている。各縦枠材２ａ，２ａの長さは、各横枠材２ｂ，２ｂの長さよりも長くなるように設定されている。
また、各縦枠材２ａ，２ａの厚さは、各横枠材２ｂ，２ｂの厚さよりも厚くなるように設定されている。すなわち、例えば把手を取り付けたり、蝶番を取り付けたり、錠を取り付けたりするのに十分な厚さに設定されている。
【００２０】
各縦枠材２ａ，２ａは、縦方向すなわち格子戸１の高さ方向に沿って設けられ、各横枠材２ｂ，２ｂは、横方向すなわち格子戸１の幅方向に沿って設けられている。
また、各縦枠材２ａ，２ａは、格子戸１の幅方向に間隔をあけて配置され、各横枠材２ｂ，２ｂは、格子戸１の高さ方向に間隔をあけて配置されている。
そして、各縦枠材２ａ，２ａの上端部間に上方の横枠材２ｂが架設され、下端部間に下方の横枠材２ｂが架設されている。なお、これら縦枠材２ａと横枠材２ｂとの接合は、例えば、図示しないダボ材や接着剤等により行われているものとする。
【００２１】
なお、縦枠材２ａと横枠材２ｂとの接合方法は、これに限られるものではない。すなわち、図示はしないが、縦枠材２ａ，２ａの上下端部の中央を切り欠いて二股にし、該縦枠材２ａ，２ａの上下端部と横枠材２ｂ，２ｂの両端部とを互いに交差させた上で、接着剤等により固定してもよい。
【００２２】
前記複数本の固定側縦格子３…は、前記枠体２の厚さ方向の一方側に、互いに一定の間隔をあけて配置されるとともに、上下端部が前記枠体２の横枠材２ｂ，２ｂに対して固定されるものである。また、各固定側縦格子３…はいわゆる角材を加工したものであり、長尺に形成されている。各固定側縦格子３…の長さは、前記縦枠材２ａの長さと略等しい長さに設定されている。
各固定側縦格子３…の上下端部は、図２に示すように、該上下端部が略Ｌ字状となるように、かつ前記横枠材２ｂ，２ｂの厚さ方向一方側に合致するサイズとなるように切欠形成されている（切欠部３ｂ）。そして、該横枠材２ｂ，２ｂの厚さ方向一方側に、接着剤等により接合されている。
なお、各固定側縦格子３…の上端部と下端部との間の中間部には、前記固定側横桟材５が嵌合固定される切欠部３ａがそれぞれ形成されている。また、これら複数の切欠部３ａ…は各固定側縦格子３…の同一高さ位置に形成されている。
【００２３】
前記複数本の可動側縦格子４…は、前記枠体２の厚さ方向の他方側に、互いに一定の間隔をあけて配置されるとともに、上下端部が前記枠体２の横枠材２ｂ，２ｂに対し、該横枠材２ｂ，２ｂの長さ方向に沿って連動してスライド可能に取り付けられるものである。また、各可動側縦格子４…も、前記複数本の固定側縦格子３…と同様に、いわゆる角材を加工したものであり、長尺に形成されている。したがって、各可動側縦格子４…の長さは、前記縦枠材２ａの長さと略等しい長さに設定されている。
また、各可動側縦格子４…の上下端部も、前記各固定側縦格子３…と同様に、略Ｌ字状となるように、かつ前記横枠材２ｂ，２ｂの厚さ方向他方側に合致するサイズとなるように切欠形成されている（切欠部４ｂ）。
なお、各可動側縦格子４…の上端部と下端部との間の中間部には、前記可動側横桟材６が嵌合固定される切欠部４ａがそれぞれ形成されている。また、これら複数の切欠部４ａ…は各可動側縦格子４…の同一高さ位置に形成されている。
【００２４】
なお、図１（ｂ），（ｃ）および図２に示すように、前記横枠材２ｂ，２ｂに対して取り付けられた状態の前記固定側縦格子３…の外側面から前記可動側縦格子４…の外側面までの長さは、前記縦枠材２ａ，２ａの厚さ寸法と略等しくなるように設定されている。
【００２５】
そして、本実施の形態の格子戸１は、複数本の可動側縦格子４…を連動して左右にスライドさせ、複数本の可動側縦格子４…と複数本の固定側縦格子３…とを、枠体２の厚さ方向において重ね合わせた際に開き状態となり、左右の固定側縦格子３，３間に可動側縦格子４を位置させた際に閉塞状態となる。
開き状態においては、複数本の可動側縦格子４…同士の隙間と、複数本の固定側縦格子３…同士の隙間から風の取り入れや採光ができるようになる。また、閉塞状態においては、風の取り入れや採光を行っていた隙間を閉じることができるので、採風および採光の中止だけでなく、視線の遮断すなわちプライバシーの保護を図ることができる。
【００２６】
前記固定側横桟材５は、前記複数本の固定側縦格子３…に直交して配置されるとともに、これら複数本の固定側縦格子３…の中間部の同一高さに形成された前記複数の切欠部３ａ…に嵌合固定されるものである。そして、固定側横桟材５は切欠部３ａ…に対して接着剤等により接合されている。前記複数本の固定側縦格子３…は、このように固定側横桟材５によって連結されることにより、一つの固定側格子体として取り扱うことが可能となっている。
また、この固定側横桟材５はいわゆる角材を加工したものであり、長尺に形成されている。また、その長さは、一方の縦枠材２ａと他方の縦枠材２ａとの間隔よりも長くなるように設定されている。
【００２７】
なお、本実施の形態の固定側横桟材５は、長尺材である複数本の固定側縦格子３…に対して２本設けられている。すなわち、長尺材である複数本の固定側縦格子３…の長さに応じて単数であっても複数であってもよいものとする。
また、上下の横枠材２ｂ，２ｂと単数または複数の固定側横桟材５（，５）との間隔は略等しくなるように設定されている。
【００２８】
前記可動側横桟材６は、前記複数本の可動側縦格子４…に直交して配置されるとともに、これら複数本の可動側縦格子４…の中間部の同一高さに形成された前記複数の切欠部４ａ…に嵌合固定されるものである。そして、可動側横桟材６は切欠部４ａ…に対して接着剤等により接合されている。前記複数本の可動側縦格子４…は、このように可動側横桟材６によって連結されることにより、一つの可動側格子体として取り扱うことが可能となっている。
なお、本実施の形態の可動側横桟材６は、複数本の可動側縦格子４…に対して２本設けられている。
また、この可動側横桟材６はいわゆる角材を加工したものであり、長尺に形成されている。また、その長さは、一方の縦枠材２ａと他方の縦枠材２ａとの間隔よりも長くなるように設定されている。
【００２９】
なお、本実施の形態の可動側横桟材６は、長尺材である複数本の可動側縦格子４…に対して２本設けられている。すなわち、長尺材である複数本の可動側縦格子４…の長さに応じて単数であっても複数であってもよいものとする。
また、上下の横枠材２ｂ，２ｂと単数または複数の可動側横桟材６（，６）との間隔は略等しくなるように設定されている。
【００３０】
また、複数本の固定側縦格子３…と複数本の可動側縦格子４…との間には僅かな隙間Ｓが形成されている。すなわち、この隙間Ｓは、人が隙間風や明かり漏れ等について気にならない程度の寸法に設定されている。
そして、図２に示すように、前記固定側横桟材５，５と前記可動側横桟材６，６は略等しい高さに配置され、互いに当接している。すなわち、固定側横桟材５，５は前記複数本の固定側縦格子３…の内側面よりも若干突出し、可動側横桟材６，６は前記複数本の可動側縦格子４…の内側面よりも若干突出している。
これによって、万が一湿気により、複数本の固定側縦格子３…と複数本の可動側縦格子４…とが互いに接近する方向に撓もうとする際に、互いに当接する固定側横桟材５，５と可動側横桟材６，６とで抑制することができる。さらに、複数本の固定側縦格子と３…と複数本の可動側縦格子４…とが互いに離間する方向にも撓もうとする際にも、前記固定側横桟材５，５と可動側横桟材６，６とで抑制することができる。
なお、互いに当接する固定側横桟材５と可動側横桟材６との間には、摩擦軽減手段を設けてもよいものとする。摩擦軽減手段としては例えば市販の樹脂製の摩擦軽減テープ等でもよいし、互いの当接面を鏡面仕上げとすることで摩擦低減を図ってもよいものとする。
【００３１】
前記複数本の可動側縦格子４…は、上述のように、その上下端部が前記枠体２の横枠材２ｂ，２ｂに対し、該横枠材２ｂ，２ｂの長さ方向に沿って連動してスライド可能となっている。
すなわち、図２，図３に示すように、前記複数本の可動側縦格子４…の上下端部には、該複数本の可動側縦格子４…の上端部間および下端部間に架け渡されるとともに、上下の横枠材２ｂ，２ｂに向かって突出するガイドレール７，７がそれぞれ取り付けられている。さらに、上下の横枠材２ｂ，２ｂには、前記ガイドレール７，７が挿入されるレール溝８，８がそれぞれ形成されている。
【００３２】
前記ガイドレール７は、断面Ｌ字状に形成された金属製のアングル材であり、固定部７ａと突出部７ｂとを有する。
固定部７ａは、前記複数本の可動側縦格子４…の上端部の切欠部４ｂの上向面と、下端部の切欠部４ｂの下向面に固定されるものである。なお、この固定部７ａは、長さ方向にビス孔が複数形成され、ビス等の止着材により上向面および下向面に固定されている。
突出部７ｂは、前記固定部７ａの隙間Ｓ側の端部から垂直方向に突出するものである。
なお、複数本の可動側縦格子４…は、上下端部にガイドレール７，７が取り付けられることによって互いに連結されることとなる。すなわち、ガイドレール７，７は前記可動側横桟材６，６とともに複数本の可動側縦格子４…を連結できるので、これら複数本の可動側縦格子４…を一つの可動側格子体として、より容易に取り扱うことができる。例えば操作時には、一つの可動側縦格子４を左右にスライドさせれば、他の全ての可動側縦格子４…を同時に左右にスライドさせることができる。
【００３３】
前記レール溝８は、前記上方の横枠材２ｂの下面および前記下方の横枠材２ｂの上面に形成された溝である。そして、図２に示すように、側断面視において前記ガイドレール７の断面形状に対応したＬ字状の溝となるように形成されている。
そして、前記複数本の可動側縦格子４…を連動して左右にスライドさせた際に、ガイドレール７がレール溝８に沿って摺動することになる。
【００３４】
前記固定側横桟材５，５および前記可動側横桟材６，６は、上述のように長さが、一方の縦枠材２ａと他方の縦枠材２ａとの間隔よりも長くなるように設定されている。
これに伴って、一方の縦枠材２ａと他方の縦枠材２ａの内部側面には、図１（ａ）および図３に示すように、前記固定側横桟材５，５および前記可動側横桟材６，６と略等しい高さに穴部９，９が形成されている。
さらに、固定側横桟材５，５の長さ方向両端部は穴部９，９に挿入固定されている。また、可動側横桟材６，６の長さ方向両端部は穴部９，９に摺動可能に挿入されている。
すなわち、穴部９，９は、固定側横桟材５，５の両端部と可動側横桟材６，６の両端部とを同時に挿入できる大きさに設定されている。さらに、一方の穴部９の穴奥側端部（穴底）から他方の穴部９の穴奥側端部（穴底）までの間隔は、可動側横桟材６の長さよりも長く設定されている。これによって、穴部９，９は、前記複数本の可動側縦格子４…を左右にスライドさせる時の、可動側横桟材６，６の両端部を飲み込む逃げ部として機能することになる。つまり、可動側横桟材６，６は、両端部が穴部９，９に挿入され飲み込まれた状態で左右にスライドでき、しかも穴部９，９から抜け出ない状態となっている。
【００３５】
なお、前記ガイドレール７，７の長さも、固定側横桟材５，５および可動側横桟材６，６と同様に、一方の縦枠材２ａと他方の縦枠材２ａとの間隔よりも長くなるように設定されているものとする。したがって、一方の縦枠材２ａと他方の縦枠材２ａの内部側面のうち、前記レール溝８，８の延長線上には、ガイドレール７，７の両端部を挿入させるための穴部１０，１０が形成されている。
これら穴部１０、１０の形状は、レール溝８，８と同様に側面視においてガイドレール７，７の断面形状に対応したＬ字状に形成されている。
【００３６】
以上のような構成の格子戸１を製造するにあたっては、固定側横桟材５，５および可動側横桟材６，６を穴部９，９に挿入し、ガイドレール７，７をレール溝８，８に挿入するとともに穴部１０，１０に挿入する必要がある。このため、格子戸１は、両縦枠材２ａ，２ａのうち一方の縦枠材２ａを最終的に組み付けるような形で製造されることになる。
つまり、最後に縦枠材２ａを組み付けるような製造工程とすれば、固定側横桟材５，５および可動側横桟材６，６を穴部９，９に対して、該穴部９，９から抜け出ないように挿入できる。また、複数本の可動側縦格子４…の上下端部に取り付けられたガイドレール７，７をレール溝８，８に対して、該レール溝８，８から抜け出ないように挿入できる。また、ガイドレール７，７を穴部１０，１０に対して、該穴部１０，１０から抜け出ないように挿入できる。
【００３７】
本実施の形態によれば、前記可動側横桟材６，６は、前記複数本の可動側縦格子４…の切欠部４ａに嵌合固定されるので、これら複数本の可動側縦格子４…とともに横枠材２ｂ，２ｂの長さ方向に沿って連動してスライドさせることができる。
そして、前記固定側横桟材５，５と前記可動側横桟材６，６は略等しい高さに配置され、互いに当接しているので、万が一湿気により、前記複数本の固定側縦格子３…と前記複数本の可動側縦格子４…とが互いに接近する方向に撓もうとする際に、互いに当接する前記固定側横桟材５，５と前記可動側横桟材６，６とで抑制することができる。これによって、たとえ湿気の影響を受けても、前記複数本の可動側縦格子４…と前記複数本の固定側縦格子と３…が噛み合ってしまったり、湿気によって建てつけが悪くなってしまったりすることを確実に回避でき、前記複数本の可動側縦格子４…を前記複数本の固定側縦格子３…に対して確実にスライド移動させることが可能となる。さらに、前記複数本の固定側縦格子と３…と前記複数本の可動側縦格子４…とが互いに離間する方向にも撓みにくくなるため、隙間風や明かり漏れ等が生じることを確実に防ぐことができる。
【００３８】
また、前記固定側横桟材５，５と前記可動側横桟材６，６とが当接した状態において、前記複数本の固定側縦格子３…と前記複数本の可動側縦格子４…とが当接しない状態となるので、前記複数本の可動側縦格子４…と前記複数本の固定側縦格子と３…が噛み合ってしまったり、湿気によって建てつけが悪くなってしまったりすることをより確実に回避できる。
【００３９】
また、前記固定側横桟材５，５の長さ方向両端部と前記可動側横桟材６，６の長さ方向両端部とが穴部９，９に挿入された状態となるので、これら固定側横桟材５，５と可動側横桟材６，６とが、万が一湿気の影響を受けても撓みにくくなる。
また、前記可動側横桟材６，６は前記穴部９，９に固定されておらず、これら穴部９，９に摺動可能とされているので、前記複数本の可動側縦格子４…と連動してスライドできるようになっている。
【００４０】
また、前記ガイドレール７，７が上下端部に取り付けられた前記複数本の可動側縦格子４…を、前記レール溝８，８に沿って左右にスライドさせることができる。また、前記ガイドレール７，７によって前記複数本の可動側縦格子４…の上下端部を連結できるので、前記複数本の可動側縦格子４…を連動してスライドさせやすくなる。
【００４１】
また、前記複数本の固定側縦格子３…と前記複数本の可動側縦格子４…とが長尺材であっても、前記複数の固定側横桟材５，５と前記可動側横桟材６，６によって撓みを抑制できるので、前記複数本の固定側縦格子３…と前記可動側縦格子４…を、縦方向に長いドア等の建具にも適用しやすい。すなわち、木材は長さが長いほど湿気の影響を受けやすいため、前記複数本の固定側縦格子３…と前記複数本の可動側縦格子４…の長さを長く設定すればするほど、前記複数の固定側横桟材５，５と前記可動側横桟材６，６の数が必要となり、前記複数の固定側横桟材５，５と前記可動側横桟材６，６の数を増やせば、前記複数本の固定側縦格子３…と前記複数本の可動側縦格子４…の長さが長くても、撓みにくくすることができる。
【符号の説明】
【００４２】
１  格子戸
２  枠体
２ａ  縦枠材
２ｂ  横枠材
３  固定側縦格子
３ａ  切欠部
４  可動側縦格子
４ａ  切欠部
５  固定側横桟材
６  可動側横桟材
Ｓ  隙間
【図１】
2014109154.tif 000003
【図２】
2014109154.tif 000004
【図３】
2014109154.tif 000005